(57)【要約】      （修正有）【課題】分析装置に使用される容器のための有鍵キャップ及び関連するシステムを提供する。【解決手段】容器システムは、ポート６０１、６０３を有する電子デバイス６００を備える。ポート６０３には、施錠部材６０４を含む。施錠部材６０４は、容器１０２に結合されたキャップ５０１に嵌め込まれるように寸法決めされ、整形される。したがって、容器１０２とキャップ５０１とを備える収容デバイスをポート６０３の方に向けると、施鍵部材６０４をキャップ５０１の突出および空間に整合させ、キャップ５０１を施鍵部材６０４内に嵌め込み、隔壁を中央穿通部材６１１で穿通することが可能である。【選択図】図６
2019053080.tif 000002
【特許請求の範囲】
【請求項１】
第１の面および第２の面を有するキャップ本体であって、当該キャップ本体の第１の面が同キャップ本体の第２の面と対向するキャップ本体、および
前記キャップ本体に配置された隔壁であって、当該隔壁は第１の面および第２の面を有し、当該隔壁の第１の面が同隔壁の第２の面と対向し、当該隔壁の第１および第２の面が各々前記キャップ本体の第１および第２の面と同じ方向に面する隔壁、
を備え、
前記キャップ本体の第１の面が、前記隔壁の第１の面と容器に結合するための結合部材とを備え、
前記キャップ本体の前記第２の面が、前記隔壁の第２の面と施鍵部材とを備え、かつ、
前記施鍵部材が、前記キャップ本体の第２の面から突出する少なくとも１つの環状リングを備え、当該少なくとも１つの環状リングが前記隔壁の周りに同心状に配置される、
容器のための有鍵キャップ。
【請求項２】
前記施鍵部材が、前記隔壁と前記キャップ本体の外周との間に配置された第１の環状リングを備える、請求項１に記載のキャップ。
【請求項３】
前記施鍵部材が第２の環状リングを備える、請求項１または２に記載のキャップ。
【請求項４】
前記第２の環状リングが、前記隔壁と前記キャップ本体の外周との間に配置される、請求項３に記載のキャップ。
【請求項５】
前記施鍵部材が、前記キャップ本体の外周に配置された第２の環状リングを備える、請求項３に記載のキャップ。
【請求項６】
前記第１の環状リングおよび前記第２の環状リングが異なる高さを有する、請求項３から５のいずれか一項に記載のキャップ。
【請求項７】
前記第１の環状リングおよび前記第２の環状リングが、異なる厚さを有する、請求項３から６のいずれか一項に記載のキャップ。
【請求項８】
前記施鍵部材が、第３の環状リングを備える、請求項３から７のいずれか一項に記載のキャップ。
【請求項９】
前記第３の環状リングが、前記隔壁と前記キャップ本体の外周との間に配置される、請求項８に記載のキャップ。
【請求項１０】
前記第１、第２、および第３の環状リングの各々が異なる高さを有する、請求項８または９に記載のキャップ。
【請求項１１】
前記第１、第２、および第３の環状リングのうちの少なくとも２つが等しい高さを有する、請求項８から９のいずれか一項に記載のキャップ。
【請求項１２】
前記第１、第２、および第３の環状リングの各々が、異なる厚さを有する、請求項８から１１のいずれか一項に記載のキャップ。
【請求項１３】
前記第１、第２、および第３の環状リングのうちの少なくとも２つが、等しい厚さを有する、請求項８から１２のいずれか一項に記載のキャップ。
【請求項１４】
容器およびキャップを備える有鍵収容デバイスであって、
前記容器が、開口部、及び、前記開口部の周りに配置された第１の結合部材とを備え、
前記キャップが、第１の面および第２の面を有するキャップ本体であって、当該キャップ本体の第１の面が同キャップ本体の第２の面と対向するキャップ本体と、前記キャップ本体内に配置された隔壁であって、当該隔壁が第１の面および第２の面を有し、当該隔壁の第１の面が同隔壁の第２の面と対向し、前記隔壁の第１および第２の面が各々前記キャップ本体の第１および第２の面と同じ方向に面する隔壁とを備え、
前記キャップ本体の第１の面が、前記隔壁の第１の面と、前記容器の前記第１の結合部材に結合するように適合された第２の結合部材とを備え、
前記キャップ本体の前記第２の面が、前記隔壁の第２の面と、施鍵部材とを備え、
前記施鍵部材が、前記キャップ本体の第２の面から突出する少なくとも１つの環状リングを備え、前記少なくとも１つの環状リングが、前記隔壁の周りに同心状に配置される、有鍵収容デバイス。
【請求項１５】
前記施鍵部材が、前記隔壁と前記キャップ本体の外周との間に配置された第１の環状リングを備える、請求項１４に記載の有鍵収容デバイス。
【請求項１６】
前記施鍵部材が、第２の環状リングを備える、請求項１４または１５に記載の有鍵収容デバイス。
【請求項１７】
前記第２の環状リングが、前記隔壁と前記キャップ本体の外周の間に配置される、請求項１６に記載の有鍵収容デバイス。
【請求項１８】
前記施鍵部材が、前記キャップ本体の外周に配置された第２の環状リングを備える、請求項１６に記載の有鍵収容デバイス。
【請求項１９】
前記第１の環状リングおよび前記第２の環状リングが、異なる高さを有する、請求項１６から１８のいずれか一項に記載の有鍵収容デバイス。
【請求項２０】
前記第１の環状リングおよび前記第２の環状リングが、異なる厚さを有する、請求項１６から１９のいずれか一項に記載の有鍵収容デバイス。
【請求項２１】
前記施鍵部材が、第３の環状リングを備える、請求項１６から２０のいずれか一項に記載の有鍵収容デバイス。
【請求項２２】
前記第３の環状リングが、前記隔壁と前記キャップ本体の前記外周との間に配置される、請求項２１に記載の有鍵収容デバイス。
【請求項２３】
前記第１、第２、および第３の環状リングの各々が、異なる高さを有する、請求項２１から２２のいずれか一項に記載の有鍵収容デバイス。
【請求項２４】
前記第１、第２、および第３の環状リングのうちの少なくとも２つが、等しい高さを有する、請求項２１から２２のいずれか一項に記載の有鍵収容デバイス。
【請求項２５】
前記第１、第２、および第３の環状リングの各々が、異なる厚さを有する、請求項２１から２４のいずれか一項に記載の有鍵収容デバイス。
【請求項２６】
前記第１、第２、および第３の環状リングのうちの少なくとも２つが、等しい厚さを有する、請求項２１から２５のいずれか一項に記載の有鍵収容デバイス。
【請求項２７】
容器、キャップ及び電子デバイスを備える有鍵収容システムであって、
前記容器が、
開口部と、前記開口部の周りに配置された第１の結合部材とを備え、
前記キャップが、
第１の面および第２の面を有するキャップ本体であって、当該キャップ本体の第１の面が同キャップ本体の第２の面に対向するキャップ本体と、
前記キャップ本体内に配置された隔壁であって、当該隔壁が第１の面および第２の面を有し、当該隔壁の第１の面が同隔壁の第２の面と対向し、前記隔壁の第１および第２の面が各々前記キャップ本体の第１および第２の面と同じ方向に面する隔壁とを備え、
前記キャップ本体の第１の面が、前記隔壁の前記第１の面と、前記容器の第１の結合部材に結合するように適合された第２の結合部材とを備え、
前記キャップ本体の前記第２の面が、前記隔壁の前記第２の面と、第１の施鍵部材とを備え、
前記第１の施鍵部材が、前記キャップ本体の第２の面から突出する少なくとも１つの環状リングを備え、
前記少なくとも１つの環状リングが前記隔壁の周りに同心状に配置され、
前記電子デバイスが、
前記キャップの前記第１の施鍵部材と嵌合するように適合された第２の施鍵部材と、
前記第２の施鍵部材に対して位置付けられた穿通部材であって、前記電子デバイスの第２の施鍵部材が前記キャップの第１の施鍵部材に嵌合すると、前記穿通部材がキャップの隔壁を穿通するように位置付けられた穿通部材とを備える、
有鍵収容システム。
【請求項２８】
前記第２の施鍵部材が、前記第１の施鍵部材の少なくとも１つの環状リングによって画定される空間に整合するように位置付けられた少なくとも１つの環状リングを備える、請求項２７の有鍵収容システム。
【請求項２９】
前記第２の施鍵部材が、環状リングによって画定される少なくとも１つの空間を含み、前記第２の施鍵部材の前記少なくとも１つの空間が前記第１の施鍵部材の少なくとも１つの環状リングに整合して位置付けられる、請求項２７または２８に記載の有鍵収容システム。
【請求項３０】
前記第１の施鍵部材が、前記隔壁と前記キャップ本体の外周との間に配置された第１の環状リングを備える、請求項２７から２９のいずれか一項に記載の有鍵収容システム。
【請求項３１】
前記第１の施鍵部材が第２の環状リングを備える、請求項２７から３０のいずれか一項に記載の有鍵収容システム。
【請求項３２】
前記第１の施鍵部材の前記第２の環状リングが、前記隔壁と前記キャップ本体の外周との間に配置される、請求項３１に記載の有鍵収容システム。
【請求項３３】
前記第１の施鍵部材が、前記キャップ本体の外周に配置された第２の環状リングを備える、請求項３１に記載の有鍵収容システム。
【請求項３４】
前記第１の施鍵部材の前記第１の環状リングおよび前記第２の環状リングが、異なる高さを有する、請求項３１から３３のいずれか一項に記載の有鍵収容システム。
【請求項３５】
前記第１の施鍵部材の前記第１の環状リングおよび前記第２の環状リングが、異なる厚さを有する、請求項３１から３４のいずれか一項に記載の有鍵収容システム。
【請求項３６】
前記第１の施鍵部材が、第３の環状リングを備える、請求項３１から３５のいずれか一項に記載の有鍵収容システム。
【請求項３７】
前記第１の施鍵部材の前記第３の環状リングが、前記隔壁と前記キャップ本体の前記外周との間に配置される、請求項３６に記載の有鍵収容システム。
【請求項３８】
前記第１の施鍵部材の前記第１、第２、および第３の環状リングの各々が、異なる高さを有する、請求項３６から３７のいずれか一項に記載の有鍵収容システム。
【請求項３９】
前記第１の施鍵部材の前記第１、第２、および第３の環状リングのうちの少なくとも２つが、等しい高さを有する、請求項３６から３７のいずれか一項に記載の有鍵収容システム。
【請求項４０】
前記第１の施鍵部材の前記第１、第２、および第３の環状リングの各々が、異なる厚さを有する、請求項３６から３９のいずれか一項に記載の有鍵収容システム。
【請求項４１】
前記第１の施鍵部材の前記第１、第２、および第３の環状リングのうちの少なくとも２つが、等しい厚さを有する、請求項３６から４０のいずれか一項に記載の有鍵収容システム。
【発明の詳細な説明】
【技術分野】
【０００１】
相互参照
本出願は、２０１３年３月１３日出願の米国仮特許出願第６１／７８０，３５５号の利益を主張し、その出願は、参照によりその全体が本明細書に組み込まれる。
【背景技術】
【０００２】
試薬を収容する容器は、試薬で様々な試験、分析、処理等を行うために、電子デバイスの装填ポート内に装填されることが多い。ポート内に装填されると、針または穿孔部材を使用して容器のキャップを穿孔し、試験のための流体が取り出される。しかしながら、特定の試薬が入った容器を誤った装填ポートに挿入すると、試薬の浪費と、潜在的なクロスコンタミネーションをもたらす可能性がある。クロスコンタミネーションが発生すると、システムを洗浄する、またはその他の方法で除染する、といった追加の手順が必要となる場合があり、ユーザーに時間の浪費と不便さをもたらす。
【発明の概要】
【０００３】
本開示のいくつかの態様では、有鍵(keyed)キャップを提供する。キャップは、キャップ本体と、キャップ本体内に配置された隔壁を備える。キャップ本体は、第１の面と第２の面を有する。キャップ本体の第１の面は、キャップ本体の第２の面に対向する(opposite)。隔壁は、第１の面と第２の面を有する。隔壁の第１の面は、隔壁の第２の面に対向する。さらに、隔壁の第１および第２の面は、それぞれキャップ本体の第１および第２の面と同じ方向を向く。キャップ本体の第１の面は、隔壁の第１の面と、容器に結合するための結合部材とを備える。キャップ本体の第２の面は、隔壁の第２の面と、施鍵部材とを備える。施鍵部材は、キャップ本体の第２の面から突出し、かつ隔壁の周りに同心状に配置された少なくとも１つの環状リングを備える。
【０００４】
本開示のいくつかの態様では、有鍵収容デバイスを提供する。有鍵収容デバイスは、容器およびキャップを備える。容器は、開口部と、開口部の周りに配置された第１の結合部材とを備える。キャップは、キャップ本体と、キャップ本体内に配置された隔壁とを備える。キャップ本体は、第１の面と第２の面を有する。キャップ本体の第１の面は、キャップ本体の第２の面に対向する。隔壁は、第１の面と第２の面を有する。隔壁の第１の面は、隔壁の第２の面に対向する。さらに、隔壁の第１および第２の面は、それぞれキャップ本体の第１および第２の面と同じ方向を向く。キャップ本体の第１の面は、隔壁の第１の面と、容器の第１の結合部材に結合するように構成された第２の結合部材とを備える。キャップ本体の第２の面は、隔壁の第２の面と、施鍵部材とを備える。施鍵部材は、キャップ本体の第２の面から突出し、かつ隔壁の周りに同心状に配置された少なくとも１つの環状リングを備える。
【０００５】
本開示のいくつかの態様では、容器、キャップ、および電子デバイスを備える有鍵収容システムが設けられる。容器は、開口部と、開口部の周りに配置された第１の結合部材とを備える。キャップは、キャップ本体と、キャップ本体内に配置された隔壁を備える。キャップ本体は、第１の面と第２の面を有する。キャップ本体の第１の面は、キャップ本体の第２の面に対向する。隔壁は、第１の面と第２の面を有する。隔壁の第１の面は、隔壁の第２の面に対向する。さらに、隔壁の第１および第２の面は、それぞれキャップ本体の第１および第２の面と同じ方向を向く。キャップ本体の第１の面は、隔壁の第１の面と、容器の第１の結合部材に結合するように構成された第２の結合部材とを備える。キャップ本体の第２の面は、隔壁の第２の面と、第１の施鍵部材とを備える。第１の施鍵部材は、キャップ本体の第２の面から突出し、かつ隔壁の周りに同心状に配置された少なくとも１つの環状リングを備える。電子デバイスは、キャップの第１の施鍵部材と嵌合するように構成された第２の施鍵部材と、穿通部材とを備え、当該穿通部材は、第２の施鍵部材に対して、電子デバイスの第２の施鍵部材がキャップの第１の施鍵部材に嵌合するとき、穿通部材がキャップの隔壁を穿通するように配置される。
【図面の簡単な説明】
【０００６】
【図１Ａ】一実施形態による有鍵キャップおよび容器を備える容器デバイスの斜視図を示す。
【図１Ｂ】図１Ａに示された有鍵キャップの拡大斜視図を示す。
【図１Ｃ】図１Ａに示された有鍵キャップの拡大上面図を示す。
【図２】別の実施形態による有鍵キャップの上面図を示す。
【図３】さらに別の実施形態による有鍵キャップの上面図を示す。
【図４Ａ】さらに別の実施形態による有鍵キャップの斜視図を示す。
【図４Ｂ】さらに別の実施形態による有鍵キャップの上面図を示す。
【図５Ａ】一実施形態による有鍵キャップおよび容器を備える容器デバイスの斜視図である。
【図５Ｂ】図５Ａに示された有鍵キャップの拡大斜視図を示す。
【図５Ｃ】図５Ａに示された有鍵キャップの拡大上面図を示す。
【図６】一実施形態による、有鍵収容システムを示す。
【発明を実施するための形態】
【０００７】
本開示のいくつかの態様では、容器のための有鍵キャップを提供する。さらに、いくつかの態様では、容器を備える有鍵容器デバイスおよび容器のための有鍵キャップも提供する。さらにまた、いくつかの様態では、容器と、容器のための有鍵キャップと、有鍵キャップ上の特定の施鍵部材に嵌合する(mate)、または適合する(fit)ように構成された施鍵部材を有する電子デバイスとを備える有鍵収容システムを提供する。有鍵キャップが、電子デバイス上の特定の施鍵部材に正確に対応しない施鍵部材を有する場合、有鍵キャップは、電子デバイス上の施鍵部材に正確に嵌合することがない。例えば、電子デバイスは、施鍵部材が適切に嵌合すると、有鍵キャップを穿通して流体（例えば、試薬）を引き出し、施鍵部材が適切に嵌合しないと、有鍵キャップを穿通しない穿通部材を備えることができる。例えば、一致しない２つの施鍵部材は、穿通部材がキャップ上の隔壁に達することを可能にするのに足りるように互いに十分に深く嵌め込むことができない。
【０００８】
「隔壁」という用語は、本明細書では概して仕切り部材(partitioning element)を指すために広く使用される。様々な隔壁のタイプのいずれかを異なる実施形態で実装することができる。例えば、隔壁は、限定するものではないが、膜、ファイバー、スクリーンまたはメッシュ、バルブなどによって形成することができる。ある実施形態では、隔壁は、流体に対して不透過性であり、穿通部材（例えば、中空のニードル）によって穿通されて流体を容器から抽出することができる。いくつかの例では、隔壁は、穿通部材が隔壁から引き出されるとき再密封可能であり、穿通部材が除去された後、流体は隔壁を介して容器から漏れることがない。
【０００９】
容器は、多様なサイズおよび形状であることができ、例えば、試薬などを保持するために使用される公知の試薬瓶を含む。有鍵キャップは、例えば、潜在的にクロスコンタミネーションを引き起こす可能性がある試薬を誤った装填ポートに組み込むことを防ぐために使用することができる。上に要約したように、クロスコンタミネーションが発生すると、システムを洗浄する、またはその他の方法で除染する、などの追加の手順が必要となる場合があり、時間の浪費と不便さをユーザーにもたらす。
【００１０】
有鍵キャップは、少なくとも１つの環状リングの突出を備えた施鍵部材を備える。１つ以上の環状リングは、リング及びリングによって画定される空間の構造の特定の形状(configuration)を提供する。１つ以上の環状リングによって形成される特定の形状は、受取デバイス（例えば、電子デバイス）上にキャップ上の施鍵部材を受け取ることを可能にする対応形状を必要とする「鍵（キー）」として機能する。例えば、受取デバイス上の対応する施鍵部材は、有鍵キャップの１つ以上の環状リングに適切に整合(aline)して受け取るように成形されかつ寸法決めされる。例えば、受取デバイス上の施鍵部材は、有鍵キャップ上の１つ以上の環状リングに整合するように適切に位置付けられた１つ以上の環状の溝(gloove)またはウェル(well)を備えることができる。さらに、受取デバイス上の有鍵部材は、有鍵キャップ上の１つ以上の環状リングによって画定される有鍵キャップ上の施鍵部材上の１つ以上の空間に整合するように適切に位置付けられた１つ以上の環状リングを備えることができる。
【００１１】
多くの環状リングの形状を異なる実施形態で実装することができる。したがって、多数の施鍵形状を受取デバイスによって使用される異なる試薬を保持する有鍵容器に実装して、受取デバイス内および受取デバイス間での試薬の偶発的な混合を防ぐことができる。受取デバイスは、例えば、有鍵容器内の試薬を試験する、分析する、処理する、あるいは使用する電子機器を備えることができる。例示の電子機器は、限定するものではないが、血液学的分析に関連する機器を含むことができる。電子機器はまた、例えば試薬の試験、分析、処理などを行うために使用される光学的構成部材を備えることができる。
【００１２】
本開示の有鍵キャップは、複数の試薬に使用できる単一の共通の容器を製造することを可能にする。共通の容器を使用することが必要でないとしても、共通の容器を使用することは、容器の製造性を改善することができ、コストを低減することができる。
【００１３】
いくつかの例では、有鍵キャップは、特性または特徴を識別するように設計され、有鍵キャップ上に印刷された、またはそうでなければ組み込まれた番号、記号、色などを有し、キャップをコード化かつ識別することができる。例えば、受取デバイス上の装填領域は、一致する色、番号、または記号を含み、ユーザーに対する付加的支援として機能することができる。
【００１４】
ある実施形態では、有鍵キャップは、容器に取り外し可能に結合される。例えば、有鍵キャップは、容器の開口部上のねじ部に螺合するねじ部を備えることができる。このようなねじ機構、または他の公知の結合機構は、キャップと容器とを取り外し可能に結合するように実装することができる。ある実施形態では、有鍵キャップは、容器内に一体化または固定して取り付けることができる。例えば、有鍵キャップおよび容器は、製造時に中の試薬とともに一緒に取り付けることができる。あるいは、有鍵キャップおよび容器は、結合されると２つの構成部材を一緒にロックする公知のロック機構を備えることができる。
【００１５】
ある態様では、有鍵キャップ上の環状リングは、受取デバイスと正確に嵌合するように、回転配向させる（例えば、「クロックさせる(clocked)」）ことが必要がない付加的利点を提供することができる。例えば、多角形（例えば、六角形、正方形、八角形など）のような他の形状は、キャップを受取デバイスと適切に嵌合させるために、キャップを正確に回転配向させる、または「クロックさせる」ことを必要とする。キャップの軸を中心としない環状リングを含む形状もまた、適切に整合するためにクロック操作を必要とし得る。さらに、多角形のような一般的に定義されていない形状である不規則な形状もまた、クロック操作を必要とし得る。代替の実施形態では、クロック操作を必要とする他の形状を実装することができることを理解されたい。
【００１６】
本開示のある態様では、有鍵キャップと容器とを備える容器デバイスは、受取デバイス上の受取ポートに形状適合し、容器デバイスをポート内に挿入する、または「プラグイン」することが可能である。受取ポートは、容器デバイスがポート内に挿入されると有鍵キャップの隔壁を穿通する穿通部材を備える。
【００１７】
特定のポートは、ポート内の施鍵部材を適切な有鍵キャップに一致させることにより、特定の試薬の使用に適合させることができる。したがって、受取ポートおよび有鍵キャップが施鍵部材に一致しない場合、穿通部材が、有鍵キャップの隔壁を穿通することが妨げられ、クロスコンタミネーションが回避される。これは、特定の試薬を有する容器デバイスが正しいポートに組み込まれることを保証するレベルをさらに高くする。
【００１８】
キャップおよび容器は、任意の適切な材料から作ることができる。例示の材料は、限定するものではないが、高分子材料（例えば、プラスチック）、金属、合金、またはそれらの組合せを含むことができる。隔壁は、流体に対して不透過性であるが、穿通部材が隔壁を穿通して流体採取を可能にする任意の適切な材料から作ることができる。例えば、任意の公知の隔壁を実装することができる。
【００１９】
本開示の様々な態様をさらに説明するために、さらなる実施形態を以下に説明する。実施形態は例示であること、および説明される特徴は他の実施形態に適用可能であり得ることを理解されたい。
【００２０】
図１Ａは、一実施形態による、容器デバイスの斜視図を示す。図１Ａに示されるように、容器デバイス１００は、キャップ１０１と容器１０２とを備える。図１Ｂおよび１Ｃは、それぞれ図１Ａに示されたキャップ１０１の拡大した斜視図および上面図を示し、図１Ａに関連して説明される。
【００２１】
キャップ１０１は、容器１０２の開口部に取り外し可能に結合される。例えば、キャップ１０１および容器１０２の両方は、２つの構成部材を一緒に結合することを可能にするねじ部のような結合部材（図示せず）を備えることができる。代替の実施形態では、キャップ１０１および容器１０２は、互いに一体化される、またはそうでなければ固定して取り付けることができる。
【００２２】
容器１０２は、任意の適切な材料から作ることができるが、流体に対して不透過性でなければならない。例示の材料は、限定するものではないが、高分子材料（例えば、プラスチック）、金属、合金、またはそれらの組合せを含むことができる。
【００２３】
容器１０２は、キャップ１０１上の対応する結合部材に結合する結合部材（図示せず）を含むことができる。例えば、結合部材は、ねじ部を備え、容器１０２へのねじによるキャップ１０１の取り付けおよび取り外しが可能である。任意のタイプの結合部材を使用して、キャップ１０１を容器１０２に結合することができる。キャップ１０１の結合部材はまた、例えば、結合時に空気および／または液体の密封シールを提供するためのガスケットを備えることができる。
【００２４】
キャップ１０１は、示されるように、キャップ本体１０３、隔壁１０４、および環状リング１０５を備える。キャップ１０１の対向する面１０６、１０７は、参考のために本明細書で言及されている。面１０６（例えば、キャップ１０１の上面）は、キャップ１０１が容器１０２に結合するとき、容器と反対の方向に面する。同様に、面１０７（例えば、キャップ１０１の底面）は、キャップ１０１が容器に結合するとき、容器方向に面する。
【００２５】
隔壁１０４は、キャップ本体１０３内に配置され、隔壁１０４の一方の面が面１０６上にあり、隔壁１０４のその反対の面が面１０７上にある。例えば、隔壁１０４およびキャップ本体１０３の面１０７は、容器１０２に結合すると、容器１０２に面する。同様に、隔壁１０４およびキャップ本体１０３の面１０６は、容器１０２に結合すると、容器１０２と反対方向に面する。
【００２６】
示された実施形態では、隔壁は、流体に対して不透過性であるが、例えば穿通部材の内側中空管を介して容器から流体が引き出されるデバイスの穿通部材に対して透過性である。他の実施形態では、隔壁のサイズおよび／または形状は多様であり得ることを理解されたい。
【００２７】
キャップ１０１は、キャップ本体１０３の面１０６から突出する環状リング１０５を備える。示される実施形態では、隔壁１０４は、隔壁１０４の周りに同心状に配置された環状リング１０５を備えたキャップ本体１０３の中心に配置される。環状リング１０５は、環状リング１０５と隔壁１０４との間の空間１０８と、環状リング１０５とキャップ本体１０３の外周との間の空間１０９とを画定する。
【００２８】
環状リング１０５は、異なる実施形態では厚さが多様であり得る。さらに、空間１０８および１０９もまた、異なる実施形態では多様であり得る。例えば、図１Ｃに示されるように、環状リング１０５の厚さは、ｔ１として示され、空間１０８および１０９はそれぞれ幅ｄ１およびｄ２を有する。図２は、環状リング２０５と空間２０８および２０９とが、図１Ａ〜１Ｃに示される実施形態で示される環状リング１０５と空間１０８および１０９とから異なることを除けば、図１Ａ〜１Ｃに示されるものと同様であるキャップ２０１を示す。図２の環状リング２０５は、図１Ａ〜１Ｃの環状リング１０５に示される厚さよりも大きな厚さを有する。さらに、空間２０８および２０９は、それぞれ幅１０８および１０９と異なる幅を有する。本明細で言及されるこれらの厚さおよび幅は、対応するリングまたは空間の内半径から外半径まで測定され−、例えば、上面図に最もよく示される。例えば、空間２０８の幅は、１０８のよりも小さい。空間の半径方向の位置付けもまた、幅から独立して多様であり得ることに留意されたい。「半径方向の位置付け」という用語は、本明細書では、キャップの中心から、環状リング（例えば、２０５）または環状リングによって画定される空間（例えば、２０８および２０９）の中心までの概略の距離を表すために、広く使用されている。
【００２９】
図３は、別の実施形態によるキャップの上面図を示す。キャップ３０１は、キャップ本体３０３、隔壁３０４、および環状リング３０５を備える。隔壁３０４の一方の面は、キャップ３０１が容器１０２に結合されると、容器１０２に向かって露出され、面する。隔壁３０４の反対側の面は、キャップ３０１が容器１０２に結合されると、容器１０２から反対側に露出され、面する、例えば、上面図に示される面。環状リング３０５は、キャップ３０１が容器１０２に結合されると、容器１０２から反対側に面するキャップ本体３０３の面、例えば、上面図に示される面、から突出する。環状リング３０５は、キャップ本体３０３の外周に隔壁４０４の周りに同心状に配置され、環状リング３０５と隔壁３０４との間に空間３０８を画定する。
【００３０】
有鍵キャップのサイズ、および有鍵キャップ内の構成部材（例えば、環状リング、環状リングによって画定される空間、隔壁など）は、異なる実施形態で多様であり得ることを理解されたい。有鍵キャップのサイズおよびその構成部材は、多様であり得るが、受取デバイスの適切に寸法決めされた施鍵部材に適切に嵌合することが可能でなければならない。ある実施形態では、キャップのサイズは、限定するものではないが、３インチ以下、例えば２インチ以下であり、１インチ以下を含む、範囲であることができる。ある実施形態では、環状リングのサイズは、限定するものではないが、２センチメートル以下、例えば１センチメートル以下であり、半センチメートル以下を含む、範囲であることができる。ある実施形態では、環状リングの厚さは、使用される有鍵キャップのサイズに依存する範囲であることができる。これらの例示のサイズは、例示の目的のために提供され、限定するものとして解釈されるべきでない。
【００３１】
ある実施形態では、キャップは、１つを超える環状リングを備えることができる。例えば、図４Ａおよび４Ｂは、それぞれキャップ４０１の斜視図および上面図を示す。キャップ４０１の面４０６は、容器１０２に結合されると、容器１０２から反対方向に面し、面４０７は、容器１０２に結合されると、容器１０２に向かう方向に面する。キャップ４０１は、キャップ本体４０３、面４０６および４０７の両方に露出される隔壁４０４、およびキャップ本体４０３の面４０６から突出する環状リング４０５ａ、４０５ｂを含む。
【００３２】
環状リング４０５ａは、隔壁４０４の周りに同心状に配置され、環状リング４０５ａと隔壁４０４との間に空間４０８を画定する。環状リング４０５ｂは、環状リング４０５ａおよび隔壁４０４の両方の周りに同心状に配置される。示される実施形態では、環状リング４０５ｂは、キャップ本体４０３の外周に配置され、環状リング４０５ａと環状リング４０５ｂとの間に空間４０９を画定する。
【００３３】
図５Ａは、一実施形態による、容器デバイスの斜視図を示す。図５Ａに示されるように、容器デバイス５００は、キャップ５０１と容器５０２とを備える。図５Ｂおよび５Ｃは、それぞれ図５Ａに示されたキャップ５０１のクローズアップ斜視図および上面図を示し、図５Ａに関連して説明される。
【００３４】
キャップ５０１の面５０６は、容器１０２に結合されると、容器１０２から反対方向に面し、面５０７は、容器１０２に結合されると、容器１０２に向かう方向に面する。キャップ５０１は、キャップ本体５０３、面５０６および５０７の両方に露出される隔壁５０４、およびキャップ本体５０３の面５０６から突出する環状リング５０５ａ、５０５ｂを含む。
【００３５】
環状リング５０５ａ、５０５ｂは、キャップ５０１が容器１０２に結合されると、容器１０２から反対側に面するキャップ本体５０３の面、例えば、上面図に示される面、から突出する。
【００３６】
環状リング５０５ａは、隔壁５０４の周りに同心状に配置され、環状リング５０５ａと隔壁５０４との間に空間５０８を画定する。環状リング５０５ｂは、環状リング５０５ａおよび隔壁５０４の両方の周りに同心状に配置され、環状リング５０５ａと環状リング５０５ｂとの間に空間４０９を画定する。環状リング５０５ｂはまた、環状リング５０５ｂとキャップ本体５０３の外周との間に空間５１０を画定する。
【００３７】
示される実施形態は例示であることと、他の実施形態は２つを超える環状リングを備えることができることを理解されたい。各環状リングの高さは、異なる実施形態では多様であり得ることもまた理解されたい。ある実施形態では、各環状リングは同じ高さを有する。他の実施形態では、２つ以上の環状リングは異なる高さを有する。例えば、図４Ａに示される実施形態では、環状リング４０５ａは、環状リング４０５ｂよりも高さが大きい。他の実施形態、例えば、図５Ｂに示される実施形態では、環状リングは、同じ高さを有する。
【００３８】
環状リングによって画定される各空間の深さは、異なる実施形態では多様であり得ることを理解されたい。各空間の「深さ」は、本明細書では概して、キャップ本体から環状リングの遠位高さまでのその空間内の距離を指すために使用される。いくつかの空間は、異なる高さの２つの環状リングによって囲むことができることも理解されたい。このような場合では、空間の「深さ」は、一方または両方の環状リングの高さに基づいて画定することができる、例えば、空間の深さは、概して、キャップ本体から、いずれかの環状リングの遠位高さ、または２つの環状リングの中間などのような２つの環状リングの組合せ、までの距離を指すことができる、いくつかの例では、２つの空間内のキャップ本体は、互いに高さが異なることができる。
【００３９】
ある実施形態では、環状リングによって画定される各空間は、同じ深さを有する。他の実施形態では、２つ以上の空間は、異なる深さを有する。２つの空間の基本表面は、異なる高さのレベルにあることができる、またはあるいは、同じ高さのレベルにあることができることを理解されたい。
【００４０】
隔壁の高さは、異なる実施形態では多様であり得る。例えば、図４Ａに示される実施形態では、キャップ本体４０３は、隔壁が配置された隆起した中心部分を備え、隔壁１０４は、環状リング４０５ｂと同じ高さまで隆起する。図５Ｂに示される実施形態では、隔壁１０４は、環状リング５０５ａ、５０５ｂのいずれかの高さよりも低い。例えば、隔壁の高さは、環状リング５０５ａ、５０５ｂがキャップ本体５０３の上面に交わる高さのレベルに配置することができる。
【００４１】
環状リングの厚さおよび高さ、環状リングによって画定される空間の幅および深さ、および環状リングと環状リングによって画定される空間の半径方向の位置付け、以上のパラメータは、異なる実施形態では多様であり得ることを理解されたい。
【００４２】
ある実施形態では、第１の環状リングは、第２の環状リングと異なる高さにあることができ、さらに第２の環状リングに接することができる。このような場合では、２つの環状リング間に空間が形成されない、しかしながら、受取デバイス上の施鍵部材は、対応する高さに一致する突出を依然として備え、「施鍵された(keyed)」嵌め込みを可能にすることができる。第１の環状リングおよび第２の環状リングは、２つ別々の部品から、または適宜に成型されたもしくは成形された材料の単一の部品から、作ることができることも理解されたい。
【００４３】
図６は、一実施形態による、容器システムを示す。容器システム６００は、そこに結合されたキャップ５０１を有する容器１０２を備える。示される実施形態では、キャップ５０１は、図５Ａ〜５Ｃに示されるものと同じキャップ５０１である。容器は、例えば試薬のような流体を含むことができる。容器システムはまた、２つの部分６０１、６０３を有する電子デバイス６００を備える。ポート６０１は、施鍵部材６０２を備え、それが「施鍵される」対応するキャップの特定の環状リングの形状に嵌め込まれる。同様に、ポート６０３は、異なるキャップに対応する異なる特定の環状リングの形状に嵌め込まれる施鍵部材６０４を含む。
【００４４】
施鍵部材６０４は、キャップ５０１に嵌め込まれるように寸法決めされ、成形される。キャップ５０１の環状リングおよび空間は、施鍵部材６０４に嵌め込まれるように成形され、寸法決めされた施鍵部材を形成する。例えば、施鍵部材６０４は、キャップ５０１の空間５０８に整合する第１の環状リング６０９と、キャップ５０１の空間５０９に整合する第２の環状リング６０７と、キャップ５０の空間５１０に整合する表面６０５の一部と、キャップ５０１が施鍵部材６０４に嵌め込まれると、キャップ５０１の隔壁５０４を穿通する中央穿通部材６１１と、を備える。同様に、施鍵部材６０４は、キャップ５０１の環状リング５０５ａに整合する空間６０８と、キャップ５０１の環状リング５０５ｂに整合する空間６０６と、を含む。したがって、容器１０２とキャップ５０１とを備える収容デバイスをポート６０３の方に向けると、施鍵部材６０４をキャップ５０１の突出および空間に整合させ、キャップ５０１を施鍵部材６０４内に嵌め込み、隔壁５０４を中央穿通部材６１１で穿通することが可能である。
【００４５】
穿通部材６１１は、穿通部材が隔壁を穿通するように適切な高さに位置付けられることを理解されたい。したがって、例えば、受取部材の施鍵部材に一致しない有鍵キャップは、穿通部材が隔壁を穿通することを可能にするまで十分に深く挿入することができない。
【００４６】
ポート６０１の施鍵部材６０２は、５０１と異なるキャップに嵌め込まれるように寸法決めされ、成形される。例えば、施鍵部材６０２は、図３に示されるキャップ３０１に嵌め込まれるように寸法決めされ、成形される。例えば、施鍵部材６０２は、キャップ３０１の隔壁３０４を穿通する中央穿通部材６１６と、キャップ３０１の空間３０８に整合する第１の環状リング６１４を備える。同様に、施鍵部材６０４は、キャップ３０１の環状リング３０５に整合する空間６１３を備える。
【００４７】
図６では、キャップ５０１は、キャップ５０１の施鍵部材を形成する環状リング５０５ａ、５０５ｂおよび空間５０８、５０９、５１０を含む。キャップ５０１の施鍵部材は、環状リング５０５ａ、５０５ｂおよび空間５０８、５０９、５１０が施鍵部材６０２の環状リング６１４および空間６１３、６１５に適切に整合しないので、ポート６０１の施鍵部材６０２に適切に嵌め込まれない。例えば、環状リング５０５ａ、５０５ｂは、施鍵部材６０２に接触するが、施鍵部材６０２に適切に整合せず、嵌め込まれない。不適切な整合により、キャップ５０１は、穿通部材６１６が隔壁５０４を穿通することを可能にするまでの十分な挿入が妨げられる。これは、容器が、試薬のクロスコンタミネーションの危険性がある誤ったポート内に挿入されないことを保証する安全機構を提供する。クロスコンタミネーションが発生すると、システムを洗浄する、またはその他の方法で除染する、などの追加の手順が必要となる場合があり、時間および試薬の浪費をもたらす。
【００４８】
さらなる例示的な実施形態
本開示のいくつかの態様では、有鍵キャップを提供する。キャップは、キャップ本体と、キャップ本体内に配置された隔壁を備える。キャップ本体は、第１の面と第２の面を有する。キャップ本体の第１の面は、キャップ本体の第２の面に対向する。隔壁は、第１の面と第２の面を有する。隔壁の第１の面は、隔壁の第２の面に対向する。さらに、隔壁の第１および第２の面は、それぞれキャップ本体の第１および第２の面と同じ方向を向く。キャップ本体の第１の面は、隔壁の第１の面と、容器に結合するための結合部材と、を備える。キャップ本体の第２の面は、隔壁の第２の面および施鍵部材を含む。施鍵部材は、キャップ本体の第２の面から突出し、かつ隔壁の周りに同心状に配置された少なくとも１つの環状リングを備える。
【００４９】
ある実施形態では、施鍵部材は、隔壁とキャップ本体の外周との間に配置された第１の環状リングを備える。
【００５０】
ある実施形態では、施鍵部材は、第２の環状リングを備える。いくつかの例では、第２の環状リングは、隔壁とキャップ本体の外周との間に配置される。いくつかの例では、施鍵部材は、キャップ本体の外周に配置された第２の環状リングを備える。いくつかの例では、第１の環状リングおよび第２の環状リングは、異なる高さを有する。いくつかの例では、第１の環状リングおよび第２の環状リングは、異なる厚さを有する。
【００５１】
ある実施形態では、施鍵部材は、第３の環状リングを備える。いくつかの例では、第３の環状リングは、隔壁とキャップ本体の外周との間に配置される。いくつかの例では、第１、第２、および第３の環状リングのそれぞれは、異なる高さを有する。いくつかの例では、第１、第２、および第３の環状リングのうちの少なくとも２つは、等しい高さを有する。いくつかの例では、第１、第２、および第３の環状リングのそれぞれは、異なる厚さを有する。いくつかの例では、第１、第２、および第３の環状リングのうちの少なくとも２つは、等しい厚さを有する。
【００５２】
本開示のいくつかの態様では、有鍵収容デバイスを提供する。有鍵収容デバイスは、容器およびキャップを備える。容器は、開口部と、開口部の周りに配置された第１の結合部材と、を備える。キャップは、キャップ本体と、キャップ本体内に配置された隔壁を備える。キャップ本体は、第１の面と第２の面を有する。キャップ本体の第１の面は、キャップ本体の第２の面の反対側である。隔壁は、第１の面と第２の面を有する。隔壁の第１の面は、隔壁の第２の面に対向する。さらに、隔壁の第１および第２の面は、それぞれキャップ本体の第１および第２の面と同じ方向を向く。キャップ本体の第１の面は、隔壁の第１の面と、容器の第１の結合部材に結合するように構成された第２の結合部材と、を備える。キャップ本体の第２の面は、隔壁の第２の面および施鍵部材を含む。施鍵部材は、キャップ本体の第２の面から突出し、かつ隔壁の周りに同心状に配置された少なくとも１つの環状リングを備える。
【００５３】
ある実施形態では、施鍵部材は、隔壁とキャップ本体の外周との間に配置された第１の環状リングを備える。
【００５４】
ある実施形態では、施鍵部材は、第２の環状リングを備える。いくつかの例では、第２の環状リングは、隔壁とキャップ本体の外周との間に配置される。いくつかの例では、施鍵部材は、キャップ本体の外周に配置された第２の環状リングを備える。いくつかの例では、第１の環状リングおよび第２の環状リングは、異なる高さを有する。いくつかの例では、第１の環状リングおよび第２の環状リングは、異なる厚さを有する。
【００５５】
ある実施形態では、施鍵部材は、第３の環状リングを備える。いくつかの例では、第３の環状リングは、隔壁とキャップ本体の外周との間に配置される。いくつかの例では、第１、第２、および第３の環状リングのそれぞれは、異なる高さを有する。いくつかの例では、第１、第２、および第３の環状リングのうちの少なくとも２つは、等しい高さを有する。いくつかの例では、第１、第２、および第３の環状リングのそれぞれは、異なる厚さを有する。いくつかの例では、第１、第２、および第３の環状リングのうちの少なくとも２つは、等しい厚さを有する。
【００５６】
本開示のいくつかの態様では、容器、キャップ、および電子デバイスを備える有鍵収容システムが設けられる。容器は、開口部と、開口部の周りに配置された第１の結合部材と、を備える。キャップは、キャップ本体と、キャップ本体内に配置された隔壁を備える。キャップ本体は、第１の面と第２の面を有する。キャップ本体の第１の面は、キャップ本体の第２の面に対向する。隔壁は、第１の面と第２の面を有する。隔壁の第１の面は、隔壁の第２の面に対向する。さらに、隔壁の第１および第２の面は、それぞれキャップ本体の第１および第２の面と同じ方向を向く。キャップ本体の第１の面は、隔壁の第１の面と、容器の第１の結合部材に結合するように構成された第２の結合部材と、を備える。キャップ本体の第２の面は、隔壁の第２の面および第１の施鍵部材を含む。第１の施鍵部材は、キャップ本体の第２の面から突出し、かつ隔壁の周りに同心状に配置された少なくとも１つの環状リングを備える。電子デバイスは、キャップの第１の施鍵部材と嵌合するように構成された第２の施鍵部材と、第２の施鍵部材に対して位置付けられた穿通部材と、を備え、電子デバイスの第２の施鍵部材がキャップの第１の施鍵部材に嵌合するとき、穿通部材がキャップの隔壁を穿通する。
【００５７】
ある実施形態では、第２の施鍵部材は、第１の施鍵部材の少なくとも１つの環状リングによって画定される空間に整合するように位置付けられた少なくとも１つの環状リングを備える。
【００５８】
ある実施形態では、第２の施鍵部材は、環状リングによって画定される少なくとも１つの空間を含み、第２の施鍵部材の少なくとも１つの空間は、第１の施鍵部材の少なくとも１つの環状リングに整合するように位置付けられる。
【００５９】
ある実施形態では、第１の施鍵部材は、隔壁とキャップ本体の外周との間に配置された第１の環状リングを備える。
【００６０】
ある実施形態では、第１の施鍵部材は、第２の環状リングを備える。いくつかの例では、第１の施鍵部材の第２の環状リングは、隔壁とキャップ本体の外周との間に配置される。いくつかの例では、第１の施鍵部材は、キャップ本体の外周に配置された第２の環状リングを備える。いくつかの例では、第１の施鍵部材の第１の環状リングおよび第２の環状リングは、異なる高さを有する。いくつかの例では、第１の施鍵部材の第１の環状リングおよび第２の環状リングは、異なる厚さを有する。
【００６１】
ある実施形態では、第１の施鍵部材は、第３の環状リングを備える。いくつかの例では、第１の施鍵部材の第３の環状リングは、隔壁とキャップ本体の外周との間に配置される。いくつかの例では、第１の施鍵部材の第１、第２、および第３の環状リングのそれぞれは、異なる高さを有する。いくつかの例では、第１の施鍵部材の第１、第２、および第３の環状リングのそれぞれは、等しい高さを有する。いくつかの例では、第１の施鍵部材の第１、第２、および第３の環状リングのそれぞれは、異なる厚さを有する。いくつかの例では、第１の施鍵部材の第１、第２、および第３の環状リングのうちの少なくとも２つは、等しい厚さを有する。
【００６２】
本開示のいくつかの態様では、本開示に従って、有鍵キャップの別の施鍵部材に嵌合するように適合された施鍵部材を備える電子デバイスが設けられる。電子デバイスは、電子デバイスの施鍵部材に対して位置付けられた穿通部材を備え、電子デバイスの施鍵部材がキャップの第１の施鍵部材に嵌合すると、穿通部材が有鍵キャップの隔壁を穿通する。
【００６３】
ある実施形態では、電子デバイスの施鍵部材は、有鍵キャップの施鍵部材の少なくとも１つの環状リングによって画定された空間に整合するように位置付けられた少なくとも１つの環状リングを含む。
【００６４】
ある実施形態では、電子デバイスの施鍵部材は、環状リングによって画定される少なくとも１つの空間を含み、電子デバイスの施鍵部材の少なくとも１つの空間は、有鍵キャップの施鍵部材の少なくとも１つの環状リングに整合するように位置付けられる。
【００６５】
前述の実施形態は、理解を明確にする目的で例証および例示によってある程度詳細に説明したが、本開示の教示に照らして、添付の特許請求の範囲の趣旨または範囲から逸脱することなく、ある変更および修正がなされることは、当業者には容易に明らかである。本明細書において使用される用語は、特定の実施形態を説明するためのものであり、制限することを意図しないことを理解されたい。
【００６６】
値の範囲が提供される場合、その範囲の上限値および下限値の間の各介在値、文脈が別途明確に指示しない限り、下限値の単位の１０分の１まで、ならびにその記載された範囲内の任意の他の記載された値または介在値が本発明に包含されることが理解される。これらのより小さい範囲の上限値および下限値は、より小さい範囲内に独立して含まれてもよく、さらに、記載された範囲内の任意の具体的に除外される限界値を条件として、本発明内に包含される。記載された範囲がそれらの限界値のうちの１つまたは両方を含む場合、それらの包含される限界値のいずれかまたは両方を除外する範囲も本発明に包含される。
【００６７】
本明細書で引用された全ての刊行物および特許は、それぞれ個別の刊行物または特許が参照により具体的にかつ個別に組み込まれることが示されたような参照によって本明細書に組み込まれ、かつ刊行物が引用された関連の方法および／または材料を開示する、また説明するための参照によって本明細書に組み込まれる。任意の刊行物の引用は、本出願の出願日の前にその開示のためであり、本発明が先行発明によるこのような刊行物に先行する権利がないことを認めるものとして解釈されるべきではない。さらに、提供される刊行物の日付は、実際の刊行日とは異なる場合があり、別々に確認する必要があり得る。
【００６８】
本明細書および添付の特許請求の範囲で使用される単数形「ａ」、「ａｎ」、および「ｔｈｅ」は、文脈が別途明示しない限り、複数指示対象を含むことに留意されたい。さらに、特許請求の範囲が任意の要素を除外するように作成されてもよいことに留意されたい。したがって、この記述は、特許請求の範囲の要素の列挙に関連した「単独」、「のみ」等の排他的用語の使用のため、または「否定的な」制限の使用のため、の先行記述となることを意図する。
【００６９】
本開示を読む当業者には明らかであるように、本明細書に記載された、また示された個別の実施形態のそれぞれは、本発明の範囲または趣旨から逸脱することなく、他のいくつかの実施形態のいずれかの特徴から容易に区別される、またはそれらと組み合わせることができる個別の構成要素および特徴を有する。任意の列挙された方法は、記載された事象の順序で、または論理的に可能である任意の他の順序で、遂行することができる。
【００７０】
したがって、先の記述は、単に本発明の概念を示す。当業者が、本明細書で明示的に記載されていない、または示されていないが、本発明の原理を具現化し、本発明の趣旨および範囲内に包含される様々な配置を考案することができることが理解されるであろう。さらに、本明細書に列挙された全ての例示および条件付き言語は、主に、本発明の概念と、発明者らが寄与した概念と、を読み手が理解することを支援して技術を促進させることを意図し、そのような具体的に列挙された例示および条件に限定するものではないことを解釈されたい。さらに、本発明ならびにその具体的な例示の原理、態様、および実施形態を列挙する本明細書の全ての記述は、その構造的および機能的均等物の両方を包含することを意図する。さらに、このような等価物は、現在公知である等価物および将来開発される等価物、すなわち、構造にかかわらずに同じ機能を行う任意の開発される要素、の両方を包含することを意図する。本発明の範囲は、したがって、本明細書で示された、また説明された例示の実施形態に限定することを意図しない。
【図１Ａ】
2019053080.tif 000003
【図１Ｂ】
2019053080.tif 000004
【図１Ｃ】
2019053080.tif 000005
【図２】
2019053080.tif 000006
【図３】
2019053080.tif 000007
【図４Ａ】
2019053080.tif 000008
【図４Ｂ】
2019053080.tif 000009
【図５Ａ】
2019053080.tif 000010
【図５Ｂ】
2019053080.tif 000011
【図５Ｃ】
2019053080.tif 000012
【図６】
2019053080.tif 000013
【手続補正書】
【提出日】平成30年11月15日(2018.11.15)
【手続補正１】
【補正対象書類名】特許請求の範囲
【補正対象項目名】全文
【補正方法】変更
【補正の内容】
【特許請求の範囲】
【請求項１】
明細書に記載された発明。
【外国語明細書】
2019053080000001.pdf
2019053080000002.pdf
2019053080000003.pdf
2019053080000004.pdf